(57)【要約】本発明は、移動局がネットワークに進入する時に移動局の位置プライバシーを保護するための様々な方法を提供する。この位置プライバシーを支援する方法は、初期レンジングを行うためのレンジングコードを転送する段階と、レンジング要請メッセージを転送した後、臨時ステーション識別子を含むメッセージを受信する段階と、を含むことができる。ここで、臨時ステーション識別子は、基地局で移動局を固有に識別するための移動局のＭＡＣアドレスとステーション識別子のマッピング情報に対する保安を提供するために使用することができる。【選択図】図３
2011525346.tif 000002
【特許請求の範囲】
【請求項１】
位置プライバシーを支援する方法であって、
初期レンジング手順を行うためのレンジングコードを転送する段階と、
前記初期レンジング手順で臨時ステーション識別子を含むメッセージを受信する段階と、
を含み、
前記臨時ステーション識別子は、基地局で移動局を固有に識別するための媒体アクセス制御（ＭＡＣ）アドレスまたはステーション識別子に対する保安を提供するために使用されることを特徴とする、位置プライバシー支援方法。
【請求項２】
前記臨時ステーション識別子は、前記移動局及び前記基地局間に認証手順が完了するまで使用されることを特徴とする、請求項１に記載の位置プライバシー支援方法。
【請求項３】
前記臨時ステーション識別子は、暗号化キーが設定され、ステーション識別子が割り当てられるまで使用されることを特徴とする、請求項１に記載の位置プライバシー支援方法。
【請求項４】
前記移動局及び前記基地局間に位置プライバシーの支援レベルを交渉する段階をさらに含むことを特徴とする、請求項１に記載の位置プライバシー支援方法。
【請求項５】
前記基地局から無線リソースを割り当てるためのマップメッセージを受信する段階をさらに含み、
前記マップメッセージは、前記臨時ステーション識別子を用いて転送されることを特徴とする、請求項１に記載の位置プライバシー支援方法。
【請求項６】
位置プライバシーを支援する方法であって、
初期レンジング手順を行うためのレンジングコードを転送する段階と、
前記初期レンジング手順で臨時識別子を含む第１メッセージを受信する段階と、
を含み、
前記臨時識別子は、移動局の媒体アクセス制御アドレス（ＭＡＣ  ａｄｄｒｅｓｓ）に対する保安を提供するために使用されることを特徴とする、位置プライバシー支援方法。
【請求項７】
追加的に支援可能な位置プライバシーレベルを交渉するために、秘密性レベル情報を含む第２メッセージを転送する段階をさらに含み、
前記第２メッセージは、前記臨時識別子を用いて転送されることを特徴とする、請求項６に記載の位置プライバシー支援方法。
【請求項８】
前記臨時識別子は、移動局及び基地局間に認証手順が完了するまで使用されることを特徴とする、請求項７に記載の位置プライバシー支援方法。
【請求項９】
前記第１メッセージは、臨時ステーション識別子をさらに含み、
前記臨時ステーション識別子は、基地局で移動局を固有に識別するためのＭＡＣアドレスまたはステーション識別子に対する保安を提供するために使用されることを特徴とする、請求項６に記載の位置プライバシー支援方法。
【請求項１０】
前記基地局から、無線リソースを割り当てるためのマップメッセージを受信する段階と、
前記基地局に、前記臨時識別子を含むレンジング要請メッセージを転送する段階と、
をさらに含み、
前記マップメッセージは、前記臨時ステーション識別子を用いて転送されることを特徴とする、請求項９に記載の位置プライバシー支援方法。
【請求項１１】
前記臨時識別子及び前記臨時ステーション識別子は、移動局及び基地局間に認証手順が完了するまで使用されることを特徴とする、請求項１０に記載の位置プライバシー支援方法。
【請求項１２】
位置プライバシーを支援する方法であって、
基地局で、初期レンジングを行うためのレンジングコードを受信する段階と、
前記基地局で、臨時ステーション識別子を含むメッセージを転送する段階と、
を含み、
前記臨時ステーション識別子は、前記基地局で移動局を固有に識別するためのＭＡＣアドレスまたはステーション識別子に対する保安を提供するために使用されることを特徴とする、位置プライバシー支援方法。
【請求項１３】
前記臨時ステーション識別子は、前記移動局及び前記基地局間に認証手順が完了するまで使用されることを特徴とする、請求項１２に記載の位置プライバシー支援方法。
【請求項１４】
前記臨時ステーション識別子は、認証手順が完了してステーション識別子が設定されるまで使用されることを特徴とする、請求項１２に記載の位置プライバシー支援方法。
【請求項１５】
前記基地局及び前記移動局間に位置プライバシーの支援レベルを交渉する段階をさらに含むことを特徴とする、請求項１２に記載の位置プライバシー支援方法。
【請求項１６】
前記移動局に無線リソースを割り当てるためのマップメッセージを転送する段階をさらに含み、
前記マップメッセージは、前記臨時ステーション識別子を用いて転送されることを特徴とする、請求項１２に記載の位置プライバシー支援方法。
【請求項１７】
位置プライバシーを支援する方法であって、
初期レンジングを行うためのレンジングコードを受信する段階と、
臨時識別子を含む第１メッセージを転送する段階と、
を含み、
前記臨時識別子は、移動端末の媒体アクセス制御アドレス（ＭＡＣ  ａｄｄｒｅｓｓ）に対する保安を提供するために使用されることを特徴とする、位置プライバシー支援方法。
【請求項１８】
追加的に支援可能な位置プライバシーレベルを交渉するために、秘密性レベル情報を含む第２メッセージを受信する段階をさらに含み、
前記第２メッセージは、前記臨時識別子を用いて転送されることを特徴とする、請求項１７に記載の位置プライバシー支援方法。
【請求項１９】
前記第１メッセージは、臨時ステーション識別子をさらに含み、
前記臨時ステーション識別子は、基地局で移動局を固有に識別するためのステーション識別子に対する保安を提供するために使用されることを特徴とする、請求項１７に記載の位置プライバシー支援方法。
【請求項２０】
前記移動局に無線リソースを割り当てるためのマップメッセージを転送する段階と、
前記移動局から前記臨時識別子を含むレンジング要請メッセージを受信する段階と、
をさらに含み、
前記マップメッセージは、前記臨時ステーション識別子を用いて転送され、前記臨時ステーション識別子は、前記移動局及び前記基地局間に認証手順が完了するまで使用されることを特徴とする、請求項１９に記載の位置プライバシー支援方法。
【発明の詳細な説明】
【技術分野】
【０００１】
本発明は、無線接続システムにおいて秘密性及び保安性を保障するデータ送受信方法に関するものである。また、本発明は、移動局がネットワークに進入する時に移動局の位置プライバシーを保護するための方法に関するものである。
【背景技術】
【０００２】
以下では、一般的に使用される暗号化方式について簡略に説明する。
【０００３】
暗号化とは、送信端及び受信端が通信時にデータ内容を故意に歪めて転送することによって、秘密を維持する技術のことをいう。一般的な暗号化手順は、次の通りである。送信端は、平文（Ｐｌａｉｎｔｅｘｔ）を特定の暗号化キー（Ｅｎｃｒｙｐｔｉｏｎ  Ｋｅｙ）などを用いて暗号化（ｅｎｃｒｙｐｔｉｏｎ）して暗号文（Ｃｉｐｈｅｒｔｅｘｔ）を生成する。送信端は、暗号文を受信端に転送する。受信端は、受信した暗号文を複号（Ｄｅｃｒｙｐｔｉｏｎ）して再び平文として解読することができる。このように、送受信端は、相互通信における保安性のために音声及び／またはデータを暗号化することができる。
【０００４】
暗号化方法には、対称キー方式及び非対称キー方式がある。
【０００５】
対称キー方式は、暗号化及び複号化において、同一キーを使用する方式のことをいう。対称キー暗号アルゴリズムは、送信端及び受信端が同一キー（共有する秘密キー）によって暗号化及び複号化手順を行う方式のことをいう。
【０００６】
非対称キー方式は、暗号化時に使用する暗号化キーである公開キー（Ｐｕｂｌｉｃ  Ｋｅｙ）と複号化時に使用する秘密キー（Ｓｅｃｒｅｔｅ  ＫｅｙまたはＰｒｉｖａｔｅ  Ｋｅｙ）とが異なっており、公開キーは公開し、秘密キーのみ安全に維持する方式のことをいう。非対称キー方式は、ＲＳＡ（Ｒｉｖｅｓｔ−Ｓｈａｍｉｒ−Ａｄｌｅｍａｎ）等の公開キーベースの構造または公開キー暗号方式を参照することができる。
【０００７】
端末が基地局にネットワーク進入手順を行う一般の方法について簡略に説明すると、下記の通りである。
【０００８】
端末は、基地局のダウンリンクチャンネルをスキャニングすることによって基地局との同期を獲得することができる。また、端末は、アップリンクチャンネル記述子（ＵＣＤ：Ｕｐｌｉｎｋ  Ｃｈａｎｎｅｌ  Ｄｅｓｃｒｉｐｔｏｒ）メッセージを通じて転送パラメータを獲得することができる。したがって、端末は基地局に初期レンジング手順を行うことができる。
【０００９】
レンジング手順を行った後に、端末及び基地局は、基本提供能力について交渉を行うことができる。基地局は、端末を認証して通信を行うための権限を与え、暗号化キーを交換することができる。これによって、端末は基地局に登録手順を行うことができる。
【発明の概要】
【発明が解決しようとする課題】
【００１０】
一般的に用いられる通信技術のレンジング（Ｒａｇｉｎｇ）手順において移動局を固有に識別可能にする媒体アクセス制御（ＭＡＣ：Ｍｅｄｉｕｍ  Ａｃｃｅｓｓ  Ｃｏｎｔｒｏｌ）アドレスが、何らの保護もされずに用いられている。したがって、将来、基地局から提供するサービスにおいて、悪意的な攻撃者により移動局のＭＡＣアドレスが乱用される恐れがある。
【００１１】
例えば、位置プライバシー（Ｌｏｃａｔｉｏｎ  Ｐｒｉｖａｃｙ）は、移動局の媒体アクセス制御アドレス及び／または基地局内で移動局を固有に識別するためのステーション識別子などを含め、移動局を保安するために提供するものである。一般の無線接続システムにおいて、ステーション識別子は、認証手順が終わった後に割り当てられることができる。例えば、認証手順で移動局と基地局間にＴＥＫが設定されると、このＴＥＫによってステーション識別子が暗号化されて基地局から移動局に転送されることができる。
【００１２】
すなわち、位置プライバシーのき損とは、移動局識別子への攻撃者の能動的、受動的な攻撃のことを意味するもので、ネットワーク（ｎｅｔｗｏｒｋ）と移動局との間に交換される移動局識別子（例えば、ＭＡＣアドレス、ＭＳ  ＩＤ（Ｍｏｂｉｌｅ  Ｓｔａｔｉｏｎ  ＩＤ）など）及びステーション識別子（ＢＳ  ＩＤ）などの単純傍受の他、移動局の識別子などを用いた将来の様々な攻撃を含む。
【００１３】
本発明は、上記の一般的な技術における問題点を解決するために案出されたもので、その目的は、移動局がネットワーク進入（Ｎｅｔｗｏｒｋ  Ｅｎｔｒｙ）手順を行う場合、秘密性（ｐｒｉｖａｃｙ）及び保安性（ｓｅｃｕｒｉｔｙ）を維持することができる通信方法を提供することにある。
【００１４】
本発明の他の目的は、移動局の媒体アクセス制御（ＭＡＣ）アドレスが露出される位置プライバシーの問題を解決することにある。
【００１５】
本発明のさらに他の目的は、基地局で移動局を固有に識別するために使用するステーション識別子（Ｓｔａｔｉｏｎ  ＩＤ）を保護する方法を提供することにある。すなわち、悪意的な攻撃者によりユーザ（例えば、移動局）の位置情報が露出される問題を防止するための位置プライバシーを支援する方法を提供することにある。
【００１６】
本発明のさらに他の目的は、移動局がネットワーク進入のための初期レンジング手順を行う場合、移動局が認証手順が完了してステーション識別子を安全に得るまで臨時使用できる別の識別子を用いることによって、移動局の識別子が露出される危険を解決できる方法を提供することにある。
【課題を解決するための手段】
【００１７】
本発明は、上記の技術的課題を解決するためのもので、移動局のネットワークへの進入時に移動局の位置プライバシーを保護する様々な方法を開示する。
【００１８】
本発明の一態様として、位置プライバシーを支援する方法は、初期レンジングを行うためのレンジングコードを転送する段階と、これに対するレンジング応答メッセージを受信した後、再びレンジング要請メッセージを転送し、以降、臨時ステーション識別子を含むメッセージ（例えば、レンジング応答（ＲＮＧ−ＲＳＰ）メッセージ及び／またはＭＡＰメッセージ等）を受信する段階と、を含むことができる。ここで、臨時ステーション識別子は、基地局で移動局を固有に識別するための移動局のＭＡＣアドレスまたはステーション識別子に対する保安を提供するために使用されることができる。すなわち、１６ｅとは違い、レンジング過程では、端末のＭＡＣアドレスを無線インターフェースを通じて交換しない。
【００１９】
上記の本発明の一態様において、臨時ステーション識別子は、移動局及び基地局間に認証手順が完了するまで使用されることができる。または、臨時ステーション識別子は、認証手順が完了して暗号化キーが設定され、常用（ｐｅｒｍａｎｅｎｔ）のステーション識別子が安全に割り当てられるまで使用されることができる。すなわち、臨時ステーション識別子は、ステーション識別子が基地局から移動局に割り当てられると解除（Ｒｅｌｅａｓｅ）される。
【００２０】
上記の本発明の一態様は、以上の段階を行う前に、移動局及び前記基地局間に位置プライバシーの支援レベルを交渉する段階をさらに含むことができる。
【００２１】
また、上記の本発明の一態様は、基地局から無線リソースを割り当てるためのマップメッセージを受信する段階をさらに含むことができる。ここで、マップメッセージは臨時ステーション識別子を用いて転送されることができる。
【００２２】
また、上記の本発明の一態様は、認証手順で暗号化キーが設定された後、このキーを用いて、端末が、ＭＡＣアドレスを含むメッセージ（例えば、ＲＥＧ−ＲＥＱ）を暗号化して転送する過程を含む。
【００２３】
また、上記の本発明の一態様は、認証手順で暗号化キーが設定された後、このキーを用いて、基地局がステーションＩＤを含むメッセージ（例えば、ＲＥＧ−ＲＳＰ）を暗号化して転送する過程を含む。
【００２４】
本発明の他の様態として、位置プライバシーを支援する方法は、初期レンジングを行うためのレンジングコードを転送する段階と、これに対するレンジング応答メッセージを受信した後、再びレンジング要請メッセージを転送し、以降、臨時識別子を含む第１メッセージ（例えば、ＲＮＧ−ＲＳＰ等）を受信する段階と、を含むことができる。ここで、臨時識別子は、媒体アクセス制御アドレス（ＭＡＣ  ａｄｄｒｅｓｓ）に対する保安を提供するために使用されることができる。また、臨時識別子は、移動局及び基地局間に認証手順が完了するまで使用されることができる。
【００２５】
上記の本発明の他の様態において、第１メッセージは臨時ステーション識別子をさらに含むことができる。ここで、臨時ステーション識別子は、基地局で移動局を固有に識別するためのステーション識別子に対する保安を提供するために使用されることができる。
【００２６】
また、上記の本発明の他の様態は、基地局から無線リソースを割り当てるためのマップメッセージを受信する段階と、基地局に臨時識別子を含むレンジング要請メッセージを転送する段階と、をさらに含むことができる。ここで、マップメッセージは、臨時ステーション識別子を用いて転送されることができる。
【００２７】
上記の本発明の他の様態において、臨時識別子及び前記臨時ステーション識別子は、移動局及び基地局間に認証手順が完了するまで使用されることができる。または、臨時ステーション識別子は、認証手順以降に暗号化キーが設定され、常用のステーション識別子が安全に割り当てられるまで使用されることができる。すなわち、臨時ステーション識別子は、ステーション識別子が基地局から移動局に割り当てられると解除される。
【００２８】
また、上記の本発明の一態様は、認証手順で暗号化キーが設定された後、このキーを用いて、端末がＭＡＣアドレスを含むメッセージ（例えば、ＲＥＧ−ＲＥＱ）を暗号化して転送する過程を含む。
【００２９】
また、上記の本発明の一態様は、認証手順で暗号化キーが設定された後、このキーを用いて、基地局がステーションＩＤを含むメッセージ（例えば、ＲＥＧ−ＲＳＰ）を暗号化して転送する過程を含む。
【００３０】
本発明のさらに他の様態として、位置プライバシーを支援する方法は、基地局で初期レンジングを行うためのレンジングコードを受信する段階と、これに対するレンジング応答メッセージを受信した後、再びレンジング要請メッセージを転送し、以降、基地局で臨時ステーション識別子を含むメッセージ（例えば、ＲＮＧ−ＲＳＰ及び／またはＭＡＰメッセージ等）を転送する段階と、を含むことができる。ここで、臨時ステーション識別子は、基地局で移動局を固有に識別するためのステーション識別子に対する保安を提供するために使用されることができる。
【００３１】
上記の本発明のさらに他の様態において、臨時ステーション識別子は、移動局及び基地局間に認証手順が完了するまで使用されることができる。また、臨時ステーション識別子は、認証手順が完了して暗号化キーが設定され、常用のステーション識別子が安全に割り当てられるまで使用されることができる。すなわち、臨時ステーション識別子は、常用ステーション識別子が基地局から移動局に割り当てられると解除される。
【００３２】
上記の本発明のさらに他の様態は、移動局に無線リソースを割り当てるためのマップメッセージを転送する段階をさらに含むことができる。この時、マップメッセージは、臨時ステーション識別子を用いて転送されることができる。
【００３３】
上記の本発明のさらに他の様態として、位置プライバシーを支援する方法は、初期レンジングを行うためのレンジングコードを受信する段階と、これに対するレンジング応答メッセージを受信した後、再びレンジング要請メッセージを転送し、以降、臨時識別子を含む第１メッセージを転送する段階と、を含むことができる。この時、臨時識別子は、媒体アクセス制御アドレス（ＭＡＣ  ａｄｄｒｅｓｓ）に対する保安を提供するために使用されることができる。
【００３４】
上記の本発明のさらに他の様態は、追加的に支援可能な位置プライバシーレベルを交渉するために、秘密性レベル情報を含む第２メッセージ（例えば、レンジング要請（ＲＮＧ−ＲＥＱ）メッセージ）を受信する段階をさらに含むことができる。ここで、第２メッセージは、臨時識別子を用いて転送されることができる。この場合、第１メッセージは、臨時ステーション識別子をさらに含むことができる。臨時ステーション識別子は、基地局で移動局を固有に識別するためのステーション識別子に対する保安を提供するために使用されることができる。
【００３５】
上記の本発明のさらに他の様態は、移動局に無線リソースを割り当てるためのマップメッセージを転送する段階と、移動局から臨時識別子を含むレンジング要請メッセージを受信する段階と、をさらに含むことができる。ここで、マップメッセージは、臨時ステーション識別子を用いて転送され、臨時ステーション識別子は、移動局及び基地局間に認証手順が完了するまで使用されることができる。また、臨時ステーション識別子は、認証手順以降に暗号化キーが設定され、常用のステーション識別子が安全に割り当てられるまで使用されることができる。すなわち、臨時ステーション識別子は、常用ステーション識別子が基地局から移動局に割り当てられると解除される。
【発明の効果】
【００３６】
本発明の実施例によれば、下記の効果が得られる。
【００３７】
第一、移動局は、ネットワーク進入手順において移動局の秘密性及び保安性を維持することができる。
【００３８】
第二、移動局のＭＡＣアドレスが露出される位置プライバシーの問題を解決することができる。すなわち、悪意の攻撃者による移動局の位置情報の露出を防止することができる。
【００３９】
第三、移動局が初期レンジング手順を行う場合、認証手順が完了してステーション識別子を安全に得るまで臨時に使用できる別の識別子を用いることによって、移動局の識別子が露出される危険を解決することができる。
【００４０】
第四、移動局と基地局が位置プライバシーを支援するレベルをあらかじめ交渉し、無線インターフェースを通じて移動局の識別子を直接転送しないから、認証手順が完了するまで移動局識別子が悪意的な攻撃者に露出される危険を防止することができる。
【図面の簡単な説明】
【００４１】
【図１】初期レンジング手順を示す図である。
【図２】本発明の一実施例であって、位置プライバシーを支援するレベルを交渉する過程を示す図である。
【図３】本発明の一実施例によって、臨時ステーション識別子を用いて位置プライバシーを支援する方法の一例を示す図である。
【図４】本発明の他の実施例によって、臨時識別子を用いて位置プライバシーを支援する方法の一例を示す図である。
【図５】本発明の他の実施例によって、臨時識別子を用いて位置プライバシーを支援する方法の他の例を示す図である。
【図６】本発明のさらに他の実施例によって、臨時識別子及び臨時ステーション識別子を用いて位置プライバシーを支援する方法を示す図である。
【発明を実施するための形態】
【００４２】
本発明は、無線接続システムに関するものである。また、本発明は、移動局がネットワークに進入する時に移動局の位置プライバシーを保護するための様々な方法を開示する。
【００４３】
下記の実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することもできる。また、一部の構成要素及び／または特徴を結合して本発明の実施例を構成することができる。本発明の実施例で説明される動作の順序は変更可能である。ある実施例の一部構成や特徴は、他の実施例に含まれることもでき、他の実施例の対応する構成または特徴に取って代わることもできる。
【００４４】
図面に関する説明において、本発明の要旨を曖昧にさせるとされる手順または段階などは説明を省略し、当業者のレベルで理解できるような手順または段階も説明を省略するものとする。
【００４５】
本明細書において、本発明の実施例は、基地局と移動局間のデータ送受信関係を中心に説明された。ここで、基地局は、移動局と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００４６】
すなわち、基地局を含む多数のネットワークノード（ｎｅｔｗｏｒｋ  ｎｏｄｅｓ）からなるネットワークにおいて移動局との通信のために行われる種々の動作は、基地局または基地局以外の別のネットワークノードにより行われうることは明らかである。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘移動局（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、または移動端末（Ｍｏｂｉｌｅ  Ｔｅｒｍｉｎａｌ）などの用語に代替可能である。
【００４７】
また、送信端は、データまたは音声サービスを転送するノードのことをいい、受信端は、データまたは音声サービスを受信するノードを意味する。したがって、アップリンクでは移動局を送信端とし、基地局を受信端とすることができる。同様に、ダウンリンクでは移動局を受信端とし、基地局を送信端とすることができる。
【００４８】
一方、本発明で、移動局には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００４９】
本発明の実施例は様々な手段を通じて具現することができる。例えば、本発明の実施例は、ハードウェア、ファームウェア（ｆｉｒｍｗａｒｅ）、ソフトウェアまたはそれらの結合などにより具現することができる。
【００５０】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００５１】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサにより駆動されることができる。メモリーユニットは、プロセッサの内部または外部に設けられて、既に公知の様々な手段によりプロセッサとデータを交換することができる。
【００５２】
本発明の実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された標準文書によりサポートされることができる。すなわち、本発明の実施例のうち、本発明の技術的思想を明確にするために説明を省略した段階または部分は、これらの文書によりサポートすることができる。また、本文書で開示している用語はいずれも上記の標準文書により説明することができる。特に、本発明の実施例は、ＩＥＥＥ  ８０２．１６システムの標準文書である  Ｐ８０２．１６−２００４、Ｐ８０２．１６ｅ−２００５及びＰ８０２．１６Ｒｅｖ２文書のうち一つ以上によりサポートされることができる。
【００５３】
以下の説明で使われる特定用語は、本発明の理解を助けるために提供されたものであり、このような特定用語の使用は、本発明の技術的思想を逸脱しない範囲で別の形態に変更することもできる。
【００５４】
図１は、初期レンジング手順を示す図である。
【００５５】
図１を参照すると、基地局（ＢＳ：Ｂａｓｅ  Ｓｔａｔｉｏｎ）は、移動局（ＭＳ：Ｍｏｂｉｌｅ  Ｓｔａｔｉｏｎ）にダウンリンクマップ（ＤＬ−ＭＡＰ）メッセージを転送することができる。また、基地局は、ダウンリンクチャンネル記述子（ＤＣＤ：Ｄｏｗｎｌｉｎｋ  Ｃｈａｎｎｅｌ  Ｄｅｓｃｒｉｐｔｏｒ）及び／またはアップリンクチャンネル記述子（ＵＣＤ：Ｕｐｌｉｎｋ  Ｃｈａｎｎｅｌ  Ｄｅｓｃｒｉｐｔｏｒ）を移動局に転送することができる。移動局は、、ダウンリンクマップメッセージを受信すると、基地局と媒体アクセス制御（ＭＡＣ：Ｍｅｄｉｕｍ  Ａｃｃｅｓｓ  Ｃｏｎｔｒｏｌ）層で同期を獲得することができる。移動局は、ダウンリンクマップ及びＤＣＤメッセージを受信する限り基地局と同期を維持することができる。
【００５６】
基地局は、移動局と同期化を行った後、移動局が使用可能なアップリンクチャンネルを支援するための転送パラメータの集合を含むＵＣＤメッセージを移動局に転送することができる。基地局は、使用可能な全てのアップリンクチャンネルを支援するためにＵＣＤメッセージを周期的に移動局に転送することができる。また、基地局は移動局にアップリンクマップ（ＵＬ−ＭＡＰ）メッセージを転送することによって、アップリンクチャンネルに関する情報を知らせることができる。
【００５７】
移動局は、基地局からＵＣＤメッセージ及び／またはＵＬ−ＭＡＰメッセージを受信すると、基地局と初期レンジング（Ｉｎｉｔｉａｌ  Ｒａｇｉｎｇ）手順を行うことができる。初期レンジング手順は、レンジング要請（ＲＮＧ−ＲＥＱ）メッセージ及びレンジング応答（ＲＮＧ−ＲＳＰ）メッセージの交換によって行うことができる。
【００５８】
したがって、移動局は、基地局にレンジング要請（ＲＮＧ−ＲＥＱ）をするために、レンジングコード（Ｒａｇｉｎｇ  Ｃｏｄｅ）を転送する。もし、レンジング要請に失敗すると、移動局は、一定時間の後に再び初期レンジングを行うことができる。
【００５９】
基地局は、レンジング要請に対する応答として、基地局内で特定移動局を固有に識別するために用いるステーション識別子（Ｓｔａｔｉｏｎ  ＩＤ）を移動局に転送することができる。
【００６０】
初期レンジング手順に成功すると、移動局は、自身のＭＡＣアドレスを含むレンジング要請メッセージを基地局に転送し、基地局は、管理接続識別子（ＭＣＩＤ：Ｍａｎａｇｅｍｅｎｔ  Ｃｏｎｎｅｃｔｉｏｎ  Ｉｄｅｎｔｉｆｉｅｒ）を含むレンジング応答メッセージを端末に転送することができる。
【００６１】
図２は、本発明の一実施例によって、位置プライバシーを支援するレベルを交渉する手順を示す図である。
【００６２】
図２を参照すると、移動局（ＭＳ）はサービング基地局（Ｓ−ＢＳ：Ｓｅｒｖｉｎｇ  Ｂａｓｅ  Ｓｔａｔｉｏｎ）と位置プライバシーを支援するレベルを交渉することができる。すなわち、基地局は、周期的に放送する放送チャンネル（ＢＣＨ：Ｂｒｏａｄｃａｓｔ  Ｃｈａｎｎｅｌ）を通じて端末と位置プライバシーを交渉することができる。
【００６３】
ＢＣＨは、移動局識別子（または、媒体アクセス制御アドレス（ＭＡＣ  ａｄｄｒｅｓｓ））のみを保護するのか、基地局内で移動局を固有に識別するステーション識別子（Ｓｔａｔｉｏｎ  ＩＤ）のみを保護するのか、ページング識別子（Ｐａｇｉｎｇ  ＩＤ）のみを保護するのか、またはこれらのいくつかの組み合わせのみを保護するのかを示す秘密性レベル（Ｐｒｉｖａｃｙ  Ｌｅｖｅｌ）情報を含むことができる。
【００６４】
本発明の実施例で、媒体アクセス制御アドレスは臨時識別子（Ｔｅｍｐ  ＩＤ）を用いて保護し、ステーション識別子は臨時ステーション識別子を用いて保護することができる。この場合、臨時識別子及び臨時ステーション識別子は、認証手順が完了するまで使用することができる。すなわち、臨時識別子及び臨時ステーション識別子は、認証手順が完了することによって暗号化キーが設定され、常用（ｐｅｒｍａｎｅｎｔ）のステーション識別子が安全に割り当てられるまで使用することができる。臨時ステーション識別子は、常用ステーション識別子が基地局から移動局に割り当てられると解除（Ｒｅｌｅａｓｅ）される。
【００６５】
図３は、本発明の一実施例によって、臨時ステーション識別子を用いて位置プライバシーを支援する方法の一例を示す図である。
【００６６】
図３に示す方法は、図２の位置プライバシーの支援レベルを示す手順が行われた後に行うことが好ましい。移動局（ＭＳ）はサービング基地局（Ｓ−ＢＳ）に初期ネットワーク進入のためにレンジングコード（Ｒａｎｇｉｎｇ  Ｃｏｄｅ）を転送する（Ｓ３０１）。該基地局は、これに対するレンジング応答メッセージを転送した後、再び端末からレンジング要請メッセージを受信する。すなわち、１６ｅとは違い、レンジング過程において端末はＭＡＣアドレスを無線インターフェース（Ａｉｒ  Ｉｎｔｅｒｆａｃｅ）を通じて基地局に伝達しない。
【００６７】
その後、サービング基地局（Ｓ−ＢＳ）は、臨時ステーション識別子（Ｔｅｍｐｏｒａｒｙ  Ｓｔａｔｉｏｎ  ＩＤ）を含むレンジング応答（ＲＮＧ−ＲＳＰ）メッセージを移動局に転送することができる。すなわち、サービング基地局は、移動局の位置プライバシーを保護するためにステーション識別子の代わりに臨時ステーション識別子を端末に割り当てることができる（Ｓ３０２）。
【００６８】
サービング基地局は、移動局に臨時ステーションＩＤ（Ｔｅｍｐ  Ｓｔａｔｉｏｎ  ＩＤ）を含むマップ（ＭＡＰ）メッセージを転送することができる。サービング基地局は、Ｔ−ＳＴＩＤを用いて特定端末にリソースを割り当てること、すなわち、移動局の位置プライバシーを保護するために臨時ステーションＩＤを用いて移動局に無線リソースを割り当てることができる（Ｓ３０３）。
【００６９】
移動局及び基地局は、臨時ステーションＩＤを用いて基本能力交渉手順を行うことができる。例えば、移動局は、サービング基地局に加入者基本能力要請（ＳＢＣ−ＲＥＱ：Ｓｕｂｓｃｒｉｂｅ  ｓｔａｔｉｏｎ  Ｂａｓｉｃ  Ｃａｐａｂｉｌｉｔｙ  Ｒｅｑｕｅｓｔ）メッセージを転送し（Ｓ３０４）、図示してはいないが、サービング基地局は、移動局にＳＢＣ−ＲＳＰメッセージを転送することによって基本能力交渉手順を行うことができる。
【００７０】
臨時ステーションＩＤは、認証手順が完了するまで基地局及び移動局で使用することができる。すなわち、認証手順が行われた後に、移動局のＭＡＣアドレスは暗号化されることができる（Ｓ３０５）。例えば、認証手順が完了して暗号化キー（例、ＴＥＫ）が設定されると、このキーを用いて、端末は自身のＭＡＣアドレスを含むメッセージ（例えば、ＲＥＧ−ＲＥＱ）を暗号化して基地局に転送することができる。また、臨時ステーション識別子は、認証手順終了後に暗号化キー（例、ＴＥＫ）が設定され、常用（ｐｅｒｍａｎｅｎｔ）のステーション識別子が安全に割り当てられるまで使用することができる。すなわち、臨時ステーション識別子は、常用のステーション識別子が基地局から移動局に割り当てられると解除される。
【００７１】
基地局で移動局の認証を成功的に行うと、ステーション識別子（Ｓｔａｔｉｏｎ  ＩＤ）を含む制御メッセージ（例、登録応答メッセージ（ＲＥＧ−ＲＳＰ））を暗号化して移動局に転送することができる（Ｓ３０６）。
【００７２】
この時、サービング基地局は、ステーション識別子を含む制御メッセージ自体（例、登録応答メッセージ（ＲＥＧ−ＲＳＰ））を暗号化して移動局に転送することもでき、暗号化されたステーション識別子を含む制御メッセージ（例、登録応答メッセージ（ＲＥＧ−ＲＳＰ））を移動局に転送することもできる。
【００７３】
すなわち、認証手順が成功的に完了した後には、移動局及び基地局で秘密性を支援するための暗号化キーが設定されるので、移動局及び基地局はそれ以上臨時ステーションＩＤを使用せずに、設定されたトラフィック暗号化キー（ＴＥＫ）で保護されたＭＡＣアドレスとステーションＩＤ（Ｓｔａｔｉｏｎ  ＩＤ）を交換することができる。
【００７４】
図４は、本発明の他の実施例によって、臨時識別子を用いて位置プライバシーを支援する方法の一例を示す図である。
【００７５】
サービング基地局は、移動局にサービスを提供する時に、移動局のＭＡＣアドレスを保護するために基本的に位置プライバシーを支援することができる。この場合、基地局は、初期レンジング手順において移動局のＭＡＣアドレスの代わりに臨時識別子（Ｔｅｍｐ  ＩＤ）を用いて位置プライバシーを保護することができる。
【００７６】
図４を参照すると、移動局（ＭＳ）はサービング基地局（Ｓ−ＢＳ）に初期レンジングを行うために、レンジング要請メッセージとしてレンジングコード（Ｒａｎｇｉｎｇ  Ｃｏｄｅ）を転送することができる（Ｓ４０１）。移動局は、基地局からこれに対するレンジング応答メッセージを受信した後、再びレンジング要請メッセージを基地局に転送することができる。
【００７７】
サービング基地局は、移動局のＭＡＣアドレスの代わりに使用可能な臨時識別子（Ｔｅｍｐ  ＩＤ）を含むレンジング応答メッセージを移動局に転送することができる（Ｓ４０２）。
【００７８】
移動局は、サービング基地局から臨時識別子を含むレンジング応答メッセージを受信すると、サービング基地局から基本的に移動局の位置プライバシーを支援することを認識することができる。ただし、移動局は、サービング基地局でステーション識別子（Ｓｔａｔｉｏｎ  ＩＤ）またはページング識別子（Ｐａｇｉｎｇ  ＩＤ）を追加的に保護できるか否かを交渉するために、レンジング要請メッセージを転送することができる（Ｓ４０３）。
【００７９】
Ｓ４０３段階で、移動局は、ＲＮＧ−ＲＥＱメッセージに臨時識別子（移動局のＭＡＣアドレスの代用）及び追加的に支援可能な位置プライバシーレベルを交渉するための秘密性レベル（Ｐｒｉｖａｃｙ  Ｌｅｖｅｌ）情報を含めて基地局に転送することができる。
【００８０】
サービング基地局は、自身が支援する位置プライバシーレベル情報を含むレンジング応答（ＲＮＧ−ＲＳＰ）メッセージを移動局に転送することができる。この時、サービング基地局は、ステーションＩＤを追加的に保護することを表すことができる（Ｓ４０４）。
【００８１】
初期レンジングに成功すると、サービング基地局及び移動局は、認証手順を行うことができる。認証手順において、移動局及び基地局は、暗号化キーが設定されるまでは臨時識別子、臨時ステーション識別子を用いてメッセージを送受信することができる（Ｓ４０５）。
【００８２】
すなわち、臨時識別子及び臨時ステーション識別子を、認証手順が完了することによって暗号化キー（例、ＴＥＫ）が設定され、ＭＡＣアドレスや常用のステーション識別子が安全に割り当てられるまで使用することができる。すなわち、認証手順が行われた後、暗号化キー（例、ＴＥＫ）が設定されると、このキーを用いて、端末は、ＭＡＣアドレスを含むメッセージ（例えば、ＲＥＧ−ＲＥＱ）を暗号化して基地局に転送することができる。
【００８３】
基地局は、ステーション識別子（Ｓｔａｔｉｏｎ  ＩＤ）を含む制御メッセージ（例、登録応答メッセージ（ＲＥＧ−ＲＳＰ））を暗号化して移動局に転送することができる。
【００８４】
この時、サービング基地局は、ステーション識別子を含む制御メッセージ自体（例、登録応答メッセージ（ＲＥＧ−ＲＳＰ））を暗号化して移動局に転送することもでき、暗号化されたステーション識別子を含む制御メッセージ（例、登録応答メッセージ（ＲＥＧ−ＲＳＰ））を移動局に転送することもできる（Ｓ４０６）。臨時ステーション識別子は、常用のステーション識別子が基地局から移動局に割り当てられると解除される。
【００８５】
図５は、本発明の他の実施例によって、臨時識別子を用いて位置プライバシーを支援する方法の他の例を示す図である。
【００８６】
サービング基地局は、移動局にサービスを提供する時に、移動局のＭＡＣアドレスを保護するために基本的に位置プライバシーを支援することができる。この場合、基地局は、初期レンジング手順において移動局のＭＡＣアドレスの代わりに臨時識別子（Ｔｅｍｐ  ＩＤ）を含むＲＮＧ−ＲＳＰメッセージを転送することができる。
【００８７】
図５を参照すると、移動局（ＭＳ）は、サービング基地局（Ｓ−ＢＳ）に初期レンジングを行うためにレンジング要請メッセージとしてレンジングコード（Ｒａｎｇｉｎｇ  Ｃｏｄｅ）を転送することができる（Ｓ５０１）。移動局は、基地局からそれに対するレンジング応答メッセージを受信した後、再びレンジング要請メッセージを基地局に転送することができる。
【００８８】
サービング基地局は、移動局の位置プライバシーを支援するために、移動局のＭＡＣアドレス（または、移動局識別子）の代わりに使用できる臨時識別子（Ｔｅｍｐ  ＩＤ）を含むレンジング応答メッセージを移動局に転送することができる（Ｓ５０２）。
【００８９】
移動局は、サービング基地局から臨時識別子を含むレンジング応答メッセージを受信すると、サービング基地局で基本的に移動局の位置プライバシーを支援することを認識することができる。ただし、移動局は、サービング基地局で追加的にステーション識別子（Ｓｔａｔｉｏｎ  ＩＤ）またはページング識別子（Ｐａｇｉｎｇ  ＩＤ）を保護できるか否かを交渉するために、レンジング要請メッセージを転送することができる（Ｓ５０３）。
【００９０】
Ｓ５０３段階で、移動局は、ＲＮＧ−ＲＥＱメッセージに、サービング基地局が割り当てた臨時識別子及び追加的にサービング基地局で支援可能な位置プライバシーレベルを交渉するための秘密性レベル（Ｐｒｉｖａｃｙ  Ｌｅｖｅｌ）情報を含めて基地局に転送することができる。この時、サービング基地局では、ステーション識別子（Ｓｔａｔｉｏｎ  ＩＤ）については位置プライバシーを支援しないと仮定する。
【００９１】
したがって、サービング基地局は再び臨時識別子を含むレンジング応答メッセージを移動局に転送することができる（Ｓ５０４）。
【００９２】
初期レンジングに成功すると、サービング基地局及び移動局は、認証手順を行うことができる。認証手順において、移動局及び基地局は、暗号化キー（例、ＴＥＫ）が設定されるまでは臨時識別子を用いてメッセージを送受信することができる（Ｓ５０５）。すなわち、臨時識別子を、認証手順が完了して暗号化キー（例、ＴＥＫ）が設定され、ＭＡＣアドレスが安全に割り当てられるまで使用することができる。すなわち、認証手順が行われた後、暗号化キー（例、ＴＥＫ）が設定されると、このキーを用いて、端末は、ＭＡＣアドレスを含むメッセージ（例えば、ＲＥＧ−ＲＥＱ）を暗号化して基地局に転送することができる。また、ステーション識別子（Ｓｔａｔｉｏｎ  ＩＤ）を含む制御メッセージ（例、登録応答メッセージ（ＲＥＧ−ＲＳＰ））は、基地局で暗号化して移動局に転送することができる。
【００９３】
または、基地局は、暗号化されたステーション識別子を含む制御メッセージ（例えば、ＲＥＧ−ＲＳＰ）を移動局に転送することもできる。認証手順が終わった後、基地局は、ステーション識別子を用いて移動局に無線リソースを割り当て、移動局は、ステーション識別子を用いて無線リソースを獲得することができる。
【００９４】
図６は、本発明のさらに他の実施例によって、臨時識別子及び臨時ステーション識別子を用いて位置プライバシーを支援する方法を示す図である。
【００９５】
図６を参照すると、移動局（ＭＳ）は、サービング基地局に初期レンジングを行うためにレンジングコード（Ｒａｎｇｉｎｇ  Ｃｏｄｅ）を転送することができる（Ｓ６０１）。移動局は、これに対するレンジング応答メッセージを基地局から受信した後、再びレンジング要請メッセージを基地局に転送することができる。サービング基地局は、移動局のＭＡＣアドレス（または、ＭＳ  ＩＤ）を保護するための臨時識別子（Ｔｅｍｐ  ＩＤ）、及び基地局で移動局を固有に識別するステーション識別子を保護するための臨時ステーション識別子（Ｔｅｍｐｏｒａｒｙ  Ｓｔａｔｉｏｎ  ＩＤ）を割り当てることができる。したがって、サービング基地局は、臨時識別子及び臨時ステーション識別子のうち一つ以上を含むレンジング応答メッセージを移動局に転送することができる（Ｓ６０２）。
【００９６】
サービング基地局は、ステーション識別子の代わりに臨時ステーション識別子を用いて移動局に無線リソースを割り当てることができる。したがって、サービング基地局は、臨時ステーション識別子を含むマップ（ＭＡＰ）メッセージを移動局に転送することができる（Ｓ６０３）。
【００９７】
本発明の実施例で、臨時識別子及び臨時ステーション識別子は、認証手順が成功的に行われて暗号化キーが生成されるまで使用することができる。すなわち、認証手順の前には、移動局と基地局間で伝達される端末識別子に秘密性及び保安性を与えるために臨時ステーション識別子及び臨時識別子を使用することができる。臨時識別子及び臨時ステーション識別子は、認証手順が完了することで暗号化キー（例、ＴＥＫ）が設定され、ＭＡＣアドレスや常用のステーション識別子が安全に割り当てられるまでのみ使用することができる。すなわち、臨時ステーション識別子は、常用のステーション識別子が基地局から移動局に割り当てられると解除される。
【００９８】
移動局は、基地局から割り当てられた臨時識別子を含むレンジング要請メッセージを基地局に転送することができる（Ｓ６０４）。
【００９９】
本発明の実施例において、もし臨時ステーション識別子と臨時識別子の両方が支援される場合には、臨時識別子が移動局のＭＡＣアドレスと同じ機能を果たすことができる。
【０１００】
初期レンジングに成功すると、サービング基地局及び移動局は認証手順を行うことができる。認証手順においても、移動局及び基地局は、暗号化キーが設定されるまでは臨時識別子及び臨時ステーション識別子を用いてメッセージを送受信することができる。認証手順の以降、暗号化キー（例、ＴＥＫ）が設定されると、このキーを用いて、端末は、ＭＡＣアドレスを含むメッセージ（例えば、ＲＥＧ−ＲＥＱ）を暗号化して基地局に転送することができる（Ｓ６０５）。
【０１０１】
サービング基地局は、認証手順の後に、ステーション識別子（Ｓｔａｔｉｏｎ  ＩＤ）を含む制御メッセージ（例、登録応答メッセージ（ＲＥＧ−ＲＳＰ））を暗号化して移動局に転送することができる（Ｓ６０６）。
【０１０２】
この時、サービング基地局は、ステーション識別子を含む制御メッセージ自体（例、登録応答メッセージ（ＲＥＧ−ＲＳＰ））を暗号化して移動局に転送することもでき、暗号化されたステーション識別子を含む制御メッセージ（例、登録応答メッセージ（ＲＥＧ−ＲＳＰ））を移動局に転送することもできる。本発明の実施例で、認証手順が行われた以降は、暗号化されたＭＡＣアドレスを、移動局及びサービング基地局の間で交換することができる。また、サービング基地局は、ステーション識別子を用いて移動局に無線リソースを割り当てることができる。
【０１０３】
本発明のさらに他の実施例として、図３乃至図６で説明した本発明の実施例を行いうる移動局及び基地局について説明する。
【０１０４】
移動局は、アップリンクでは送信機として動作し、ダウンリンクでは受信機として動作することができる。また、基地局は、アップリンクでは受信機として動作し、ダウンリンクでは送信機として動作することができる。すなわち、移動局及び基地局は、情報またはデータの転送のために送信機及び受信機を含むことができる。
【０１０５】
送信機及び受信機は、本発明の実施例を行うためのプロセッサ、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。
【０１０６】
本発明の実施例で用いられる移動局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、移動局は、上述した本発明の実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー（Ｈａｎｄ  Ｏｖｅｒ）機能、認証及び暗号化機能、データ転送のためのパケット変復調機能、高速パケットチャンネルコーディング機能及び実時間モデム制御機能などを行う手段、モジュールまたは部分などを含むことができる。
【０１０７】
基地局は上位階層から受信したデータを無線または有線で移動局に転送することができる。基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、基地局は、上述した本発明の実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャンネル多重化機能、サービス特性及び電波環境によるＭＡＣフレーム可変制御機能、高速トラフィック実時間制御機能、ハンドオーバー機能、認証及び暗号化機能、データ転送のためのパケット変復調機能、高速パケットチャンネルコーディング機能及び実時間モデム制御機能などを行う手段、モジュールまたは部分などを含むことができる。
【０１０８】
本発明は、本発明の精神及び必須特徴を逸脱しない範囲で様々な特定の形態に具体化することができる。したがって、上記の詳細な説明はいずれの面においても制限的に解釈されてはならず、例示的なものとして考慮しなければならない。本発明の範囲は、添付の請求項の合理的解釈によって決定されなければならず、よって、本発明の等価的範囲内における変更はいずれも本発明の範囲に含まれる。また、特許請求の範囲で明示的な引用関係を有しない請求項を結合して実施例を構成したり出願後の補正により新しい請求項として含めることができる。
【産業上の利用可能性】
【０１０９】
本発明の実施例は、様々な無線接続システムに適用することができる。様々な無線接続システムには、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムの他に、これら様々な無線接続システムを応用した技術分野のいずれにも適用することができる。
【図１】
2011525346.tif 000003
【図２】
2011525346.tif 000004
【図３】
2011525346.tif 000005
【図４】
2011525346.tif 000006
【図５】
2011525346.tif 000007
【図６】
2011525346.tif 000008
【手続補正書】
【提出日】平成22年12月22日(2010.12.22)
【手続補正１】
【補正対象書類名】明細書
【補正対象項目名】００３５
【補正方法】変更
【補正の内容】
【００３５】
上記の本発明のさらに他の様態は、移動局に無線リソースを割り当てるためのマップメッセージを転送する段階と、移動局から臨時識別子を含むレンジング要請メッセージを受信する段階と、をさらに含むことができる。ここで、マップメッセージは、臨時ステーション識別子を用いて転送され、臨時ステーション識別子は、移動局及び基地局間に認証手順が完了するまで使用されることができる。また、臨時ステーション識別子は、認証手順以降に暗号化キーが設定され、常用のステーション識別子が安全に割り当てられるまで使用されることができる。すなわち、臨時ステーション識別子は、常用ステーション識別子が基地局から移動局に割り当てられると解除される。
（項目１）
位置プライバシーを支援する方法であって、
初期レンジング手順を行うためのレンジングコードを転送する段階と、
前記初期レンジング手順で臨時ステーション識別子を含むメッセージを受信する段階と、
を含み、
前記臨時ステーション識別子は、基地局で移動局を固有に識別するための媒体アクセス制御（ＭＡＣ）アドレスまたはステーション識別子に対する保安を提供するために使用されることを特徴とする、位置プライバシー支援方法。
（項目２）
前記臨時ステーション識別子は、前記移動局及び前記基地局間に認証手順が完了するまで使用されることを特徴とする、項目１に記載の位置プライバシー支援方法。
（項目３）
前記臨時ステーション識別子は、暗号化キーが設定され、ステーション識別子が割り当てられるまで使用されることを特徴とする、項目１に記載の位置プライバシー支援方法。
（項目４）
前記移動局及び前記基地局間に位置プライバシーの支援レベルを交渉する段階をさらに含むことを特徴とする、項目１に記載の位置プライバシー支援方法。
（項目５）
前記基地局から無線リソースを割り当てるためのマップメッセージを受信する段階をさらに含み、
前記マップメッセージは、前記臨時ステーション識別子を用いて転送されることを特徴とする、項目１に記載の位置プライバシー支援方法。
（項目６）
位置プライバシーを支援する方法であって、
初期レンジング手順を行うためのレンジングコードを転送する段階と、
前記初期レンジング手順で臨時識別子を含む第１メッセージを受信する段階と、
を含み、
前記臨時識別子は、移動局の媒体アクセス制御アドレス（ＭＡＣ  ａｄｄｒｅｓｓ）に対する保安を提供するために使用されることを特徴とする、位置プライバシー支援方法。
（項目７）
追加的に支援可能な位置プライバシーレベルを交渉するために、秘密性レベル情報を含む第２メッセージを転送する段階をさらに含み、
前記第２メッセージは、前記臨時識別子を用いて転送されることを特徴とする、項目６に記載の位置プライバシー支援方法。
（項目８）
前記臨時識別子は、移動局及び基地局間に認証手順が完了するまで使用されることを特徴とする、項目７に記載の位置プライバシー支援方法。
（項目９）
前記第１メッセージは、臨時ステーション識別子をさらに含み、
前記臨時ステーション識別子は、基地局で移動局を固有に識別するためのＭＡＣアドレスまたはステーション識別子に対する保安を提供するために使用されることを特徴とする、項目６に記載の位置プライバシー支援方法。
（項目１０）
前記基地局から、無線リソースを割り当てるためのマップメッセージを受信する段階と、
前記基地局に、前記臨時識別子を含むレンジング要請メッセージを転送する段階と、
をさらに含み、
前記マップメッセージは、前記臨時ステーション識別子を用いて転送されることを特徴とする、項目９に記載の位置プライバシー支援方法。
（項目１１）
前記臨時識別子及び前記臨時ステーション識別子は、移動局及び基地局間に認証手順が完了するまで使用されることを特徴とする、項目１０に記載の位置プライバシー支援方法。
（項目１２）
位置プライバシーを支援する方法であって、
基地局で、初期レンジングを行うためのレンジングコードを受信する段階と、
前記基地局で、臨時ステーション識別子を含むメッセージを転送する段階と、
を含み、
前記臨時ステーション識別子は、前記基地局で移動局を固有に識別するためのＭＡＣアドレスまたはステーション識別子に対する保安を提供するために使用されることを特徴とする、位置プライバシー支援方法。
（項目１３）
前記臨時ステーション識別子は、前記移動局及び前記基地局間に認証手順が完了するまで使用されることを特徴とする、項目１２に記載の位置プライバシー支援方法。
（項目１４）
前記臨時ステーション識別子は、認証手順が完了してステーション識別子が設定されるまで使用されることを特徴とする、項目１２に記載の位置プライバシー支援方法。
（項目１５）
前記基地局及び前記移動局間に位置プライバシーの支援レベルを交渉する段階をさらに含むことを特徴とする、項目１２に記載の位置プライバシー支援方法。
（項目１６）
前記移動局に無線リソースを割り当てるためのマップメッセージを転送する段階をさらに含み、
前記マップメッセージは、前記臨時ステーション識別子を用いて転送されることを特徴とする、項目１２に記載の位置プライバシー支援方法。
（項目１７）
位置プライバシーを支援する方法であって、
初期レンジングを行うためのレンジングコードを受信する段階と、
臨時識別子を含む第１メッセージを転送する段階と、
を含み、
前記臨時識別子は、移動端末の媒体アクセス制御アドレス（ＭＡＣ  ａｄｄｒｅｓｓ）に対する保安を提供するために使用されることを特徴とする、位置プライバシー支援方法。
（項目１８）
追加的に支援可能な位置プライバシーレベルを交渉するために、秘密性レベル情報を含む第２メッセージを受信する段階をさらに含み、
前記第２メッセージは、前記臨時識別子を用いて転送されることを特徴とする、項目１７に記載の位置プライバシー支援方法。
（項目１９）
前記第１メッセージは、臨時ステーション識別子をさらに含み、
前記臨時ステーション識別子は、基地局で移動局を固有に識別するためのステーション識別子に対する保安を提供するために使用されることを特徴とする、項目１７に記載の位置プライバシー支援方法。
（項目２０）
前記移動局に無線リソースを割り当てるためのマップメッセージを転送する段階と、
前記移動局から前記臨時識別子を含むレンジング要請メッセージを受信する段階と、
をさらに含み、
前記マップメッセージは、前記臨時ステーション識別子を用いて転送され、前記臨時ステーション識別子は、前記移動局及び前記基地局間に認証手順が完了するまで使用されることを特徴とする、項目１９に記載の位置プライバシー支援方法。
【手続補正２】
【補正対象書類名】特許請求の範囲
【補正対象項目名】全文
【補正方法】変更
【補正の内容】
【特許請求の範囲】
【請求項１】
位置プライバシーを支援する方法であって、
移動局が初期レンジングを行うためのレンジングコードを基地局に転送する段階と、
前記移動局が初期レンジング過程で臨時ステーション識別子を含むレンジング応答（ＲＮＧ−ＲＳＰ）メッセージを前記基地局から受信する段階と、
を含み、
前記臨時ステーション識別子は、前記移動局を固有に識別するための媒体アクセス制御（ＭＡＣ）アドレスとステーション識別子のマッピング関係に対する保安を提供するために使用されることを特徴とする、位置プライバシー支援方法。
【請求項２】
前記移動局が前記臨時ステーション識別子を受信した以降に前記基地局と認証手順を行う段階をさらに含む、請求項１に記載の位置プライバシー支援方法。
【請求項３】
前記基地局と基本能力交渉手順を行う段階と、
前記基地局から前記ステーション識別子を含む制御メッセージを受信する段階と、
をさらに含み、
前記移動局は、前記ステーション識別子を獲得した後には前記臨時ステーション識別子を使用しないことを特徴とする、請求項１に記載の位置プライバシー支援方法。
【請求項４】
前記臨時ステーション識別子は、前記移動局が前記ステーション識別子を獲得するまで使用されることを特徴とする、請求項１に記載の位置プライバシー支援方法。
【請求項５】
位置プライバシーを支援する移動局であって、
前記移動局は、
初期レンジングを行うためのレンジングコードを基地局に転送する段階と、
初期レンジング過程で臨時ステーション識別子を含むレンジング応答（ＲＮＧ−ＲＳＰ）メッセージを前記基地局から受信する段階と、
を行うように構成され、
前記臨時ステーション識別子は、前記移動局を固有に識別するための媒体アクセス制御（ＭＡＣ）アドレスとステーション識別子のマッピング関係に対する保安を提供するために使用される、移動局。
【請求項６】
前記移動局は、前記臨時ステーション識別子を受信した以降に前記基地局と認証手順を行う段階をさらに含む、請求項５に記載の移動局。
【請求項７】
前記移動局は、
前記基地局と基本能力交渉手順を行う段階と、
前記基地局から前記ステーション識別子を含む制御メッセージを受信する段階と、
をさらに行い、
前記移動局は、前記ステーション識別子を獲得した以降には前記臨時ステーション識別子を使用しないことを特徴とする、請求項５に記載の移動局。
【請求項８】
前記臨時ステーション識別子は、前記移動局がステーション識別子を獲得するまで使用されることを特徴とする、請求項５に記載の移動局。
【請求項９】
位置プライバシーを支援する方法であって、
移動局から初期レンジングを行うためのレンジングコードを受信する段階と、
前記初期レンジング過程で臨時ステーション識別子を含むレンジング応答（ＲＮＧ−ＲＳＰ）メッセージを前記移動局に転送する段階と、
を含み、
前記臨時ステーションは、前記移動局を固有に識別するための媒体アクセス制御（ＭＡＣ）アドレスとステーション識別子のマッピング関係に対する保安を提供するために使用される、位置プライバシー支援方法。
【請求項１０】
前記移動局に前記臨時ステーション識別子を割り当てた以降に前記移動局と認証手順を行う段階をさらに含む、請求項９に記載の位置プライバシー支援方法。
【請求項１１】
前記移動局と基本能力交渉手順を行う段階と、
前記移動局に前記ステーション識別子を含む制御メッセージを転送する段階と、
をさらに含み、
前記臨時ステーション識別子は、前記ステーション識別子を前記移動局に割り当てた以降には使用されないことを特徴とする、請求項９に記載の位置プライバシー支援方法。
【請求項１２】
前記臨時ステーション識別子は、前記移動局にステーション識別子を割り当てるまで使用されることを特徴とする、請求項９に記載の位置プライバシー支援方法。
【請求項１３】
移動局の位置プライバシーを支援する基地局であって、
前記基地局は、
移動局から初期レンジングを行うためのレンジングコードを受信する段階と、
前記初期レンジング過程で臨時ステーション識別子を含むレンジング応答（ＲＮＧ−ＲＳＰ）メッセージを前記移動局に転送する段階と、
を行うように構成され、
前記臨時ステーションは、前記移動局を固有に識別するための媒体アクセス制御（ＭＡＣ）アドレスとステーション識別子のマッピング関係に対する保安を提供するために使用される、基地局。
【請求項１４】
前記基地局は、前記移動局に前記臨時ステーション識別子を割り当てた以降に、前記移動局と認証手順を行う段階をさらに行うように構成される、請求項１３に記載の基地局。
【請求項１５】
前記基地局は、
前記移動局と基本能力交渉手順を行う段階と、
前記移動局に前記ステーション識別子を含む制御メッセージを転送する段階と、
をさらに行うように構成され、
前記臨時ステーション識別子は、前記ステーション識別子を前記移動局に割り当てた以降には使用されないことを特徴とする、請求項１３に記載の基地局。
【請求項１６】
前記臨時ステーション識別子は、前記移動局にステーション識別子を割り当てるまで使用されることを特徴とする、請求項１３に記載の基地局。
【国際調査報告】
2011525346.tif 000009
2011525346.tif 000010